(57)【要約】【課題】患者個人による簡易で正しい膣内投薬を実現することができる膣内投薬補助器具を提供する。【解決手段】膣内投薬補助器具１は、排出口Ｈ１及び挿入口Ｈ２を有する管状に形成され、膣錠Ｊ１を収容する本体２と、挿入口Ｈ２から挿入されて本体２に設けられ、使用者により押されて挿入口Ｈ２から排出口Ｈ１に向かう方向Ａ１に移動し、本体２内の膣錠Ｊ１を排出口Ｈ１から押し出す押子３と、本体２の挿入口Ｈ２側の端部に設けられ、使用者の指が掛けられる引掛け部４とを備える。【選択図】図１
2016002192.tif 000002
【特許請求の範囲】
【請求項１】
排出口及び挿入口を有する管状に形成され、膣錠を収容する本体と、
前記挿入口から挿入されて前記本体に設けられ、使用者により押されて前記挿入口から前記排出口に向かう方向に移動し、前記本体内の前記膣錠を前記排出口から押し出す押子と、
前記本体の前記挿入口側の端部に設けられ、前記使用者の指が掛けられる引掛け部と、
を備えることを特徴とする膣内投薬補助器具。
【請求項２】
前記本体は、
前記膣錠を収容する収容空間と、
前記収容空間に前記膣錠を投入するための投入口と、
を有することを特徴とする請求項１に記載の膣内投薬補助器具。
【請求項３】
前記引掛け部は、前記本体に着脱可能に形成されていることを特徴とする請求項１又は請求項２に記載の膣内投薬補助器具。
【請求項４】
前記本体により収容された前記膣錠をさらに備えることを特徴とする請求項１乃至請求項３のいずれか一項に記載の膣内投薬補助器具。
【請求項５】
前記本体内の前記膣錠よりも前記挿入口側に位置付けられて前記本体内に設けられ、液体を吸収する吸収体をさらに備え、
前記押子は、前記挿入口から前記排出口に向かう方向に移動して前記本体内の前記膣錠及び前記吸収体を前記排出口から押し出すことを特徴とする請求項４に記載の膣内投薬補助器具。
【請求項６】
排出口及び挿入口を有する管状に形成され、薬液を含む吸収体を収容する本体と、
前記挿入口から挿入されて前記本体に設けられ、使用者により押されて前記挿入口から前記排出口に向かう方向に移動し、前記本体内の前記吸収体を前記排出口から押し出す押子と、
前記本体の前記挿入口側の端部に設けられ、前記使用者の指が掛けられる引掛け部と、
を備えることを特徴とする膣内投薬補助器具。
【発明の詳細な説明】
【技術分野】
【０００１】
本発明は、膣内投薬補助器具に関する。
【背景技術】
【０００２】
近年、日本女性の社会進出は著しく、若年層からシニア世代まで正社員やパートタイム、アルバイト等様々な雇用形態で働いており、さらに２０〜３０代に限って言えば就業者の割合は７割に上っている。このような社会情勢の中で、婦人科外来でみられる疾患の約８割は膣炎カンジタ症や細菌性膣症等の膣炎であり、完治には連日の継続的な投薬（膣錠投与）が必要であるが、病院の開院時間に合わせて連日通院することができる患者は年々減少してきている。
【０００３】
このため、医師は、通院が難しい患者に対しては膣錠を外用薬として持ち帰り、家庭にて患者自身が膣内に膣錠を投与するように指導している。ところが、実際には自分の指で膣の奥に膣錠を入れることへの恐怖心や違和感等から膣錠を入れられない、また、膣口に膣錠を入れても膣の奥（医師が指導する子宮口付近）の場所がわからない、さらに、心理的に奥まで膣錠を押し込めない等が要因となり、正しい個所に膣錠を投与することができず、膣口付近に留まった膣錠が排尿時等に外へ出てしまうことが報告されている。また、若年層の患者はファッション等の個人的嗜好から爪を長く伸ばして装飾していることが多く、凹凸のある長い爪のために膣内に指を挿入して膣錠を入れることがほぼ不可能であることも報告されている。
【先行技術文献】
【特許文献】
【０００４】
【特許文献１】特開２００５−２０５１２２号公報
【発明の概要】
【発明が解決しようとする課題】
【０００５】
前述のように、婦人科疾患には一定期間の膣内投薬治療が必要となるが、仕事や家庭等の理由で患者が継続して通院することは難しく、さらに、患者自身による投薬も困難であるため、多くの患者が十分な投薬を続けることなく膣炎を放置してしまう。このため、膣炎の放置による二次的疾患の発症やそれに伴う不妊症、さらに、性行為による感染や蔓延等を引き起こす危険性が高くなっているという現状がある。したがって、患者に膣炎を放置させずに正しい投薬を継続させるため、患者個人による簡易で正しい膣内投薬の実現が求められている。
【０００６】
本発明は上記を鑑みてなされたものであり、その目的は、患者個人による簡易で正しい膣内投薬を実現することができる膣内投薬補助器具を提供することである。
【課題を解決するための手段】
【０００７】
本発明に係る膣内投薬補助器具は、排出口及び挿入口を有する管状に形成され、膣錠を収容する本体と、挿入口から挿入されて本体に設けられ、使用者により押されて挿入口から排出口に向かう方向に移動し、本体内の膣錠を排出口から押し出す押子と、本体の挿入口側の端部に設けられ、使用者の指が掛けられる引掛け部とを備える。
【０００８】
また、前述の本発明に係る膣内投薬補助器具において、本体は、膣錠を収容する収容空間と、その収容空間に膣錠を投入するための投入口とを備えることができる。
【０００９】
また、前述の本発明に係る膣内投薬補助器具において、引掛け部は、本体に着脱可能に形成することができる。
【００１０】
また、前述の本発明に係る膣内投薬補助器具において、本体により収容された膣錠をさらに備えることができる。
【００１１】
また、前述の本発明に係る膣内投薬補助器具において、本体により収容された膣錠と、その本体内の膣錠よりも挿入口側に位置付けられて本体内に設けられ、液体を吸収する吸収体とをさらに備え、押子は、挿入口から排出口に向かう方向に移動して本体内の膣錠及び吸収体を排出口から押し出すように構成することができる。
【００１２】
本発明に係る膣内投薬補助器具は、排出口及び挿入口を有する管状に形成され、薬液を含む吸収体を収容する本体と、前記挿入口から挿入されて前記本体に設けられ、使用者により押されて前記挿入口から前記排出口に向かう方向に移動し、前記本体内の前記吸収体を前記排出口から押し出す押子と、前記本体の前記挿入口側の端部に設けられ、前記使用者の指が掛けられる引掛け部とを備える。
【発明の効果】
【００１３】
本発明に係る膣内投薬補助器具によれば、患者自身が本体を膣内に挿入し、その本体の先端の排出口を膣の奥に到達させた状態で、本体内の膣錠（あるいは薬液を含む吸収体）を排出口から膣の奥に排出することが可能となる。これにより、患者自身は意識せずとも容易に医師による投薬と同じ程度膣の奥に膣錠（あるいは薬液を含む吸収体）を投与することが可能となるので、患者個人による簡易で正しい膣内投薬を実現することができる。
【００１４】
また、本体が、膣錠を収容する収容空間と、その収容空間に膣錠を投入するための投入口とを有する場合には、患者自身が疾患に応じた膣錠を投入口から本体内の収容空間に投入することが可能となる。これにより、膣内投薬補助器具の製造工場などで本体内に既定の膣錠を入れておく必要がないため、製造工程において膣錠の搬送工程や収容工程を省略することが可能であり、膣内投薬補助器具の製造効率を向上させることができる。
【００１５】
また、引掛け部が本体に着脱可能に形成されている場合には、その引掛け部を再利用することが可能となる。これにより、引掛け部を除いた膣内投薬補助器具を製造して販売することができ、その結果、引掛け部を有する膣内投薬補助器具に比べ、膣内投薬補助器具のコストを抑えることができる。
【００１６】
また、本体により収容された膣錠をさらに備える場合には、本体内に予め既定の錠剤が入れられており、患者はそのまま膣内投薬補助器具を使用することが可能となる。これにより、患者自身が本体内に膣錠を入れてから膣内投薬補助器具を使用する場合に比べ、膣内投薬補助器具の利便性を向上させることができる。
【００１７】
また、本体により収容された膣錠と、その本体内の膣錠よりも挿入口側に位置付けられて本体内に設けられ、液体を吸収する吸収体とをさらに備え、押子は、挿入口から排出口に向かう方向に移動して本体内の膣錠及び吸収体を排出口から押し出す場合には、膣内にまず膣錠が入れられ、その後、その膣錠よりも膣口側に吸収体が入れられる。これにより、特に、膣錠が体外へ排出され易い月経時に使用する場合において、吸収体が膣錠よりも膣口側に存在することになるため、その吸収体により膣錠が膣内から排出されることを防止することができる。
【図面の簡単な説明】
【００１８】
【図１】第１の実施形態に係る膣内投薬補助器具の概略構成を示す図である。
【図２】第１の実施形態に係る膣内投薬補助器具の使用方法を説明するための第１の説明図である。
【図３】第１の実施形態に係る膣内投薬補助器具の使用方法を説明するための第２の説明図である。
【図４】第１の実施形態に係る引掛け部の第１の変形例を示す図である。
【図５】第１の実施形態に係る引掛け部の第２の変形例を示す図である。
【図６】第２の実施形態に係る膣内投薬補助器具の概略構成を示す図である。
【図７】第３の実施形態に係る膣内投薬補助器具の概略構成を示す図である。
【図８】第４の実施形態に係る膣内投薬補助器具の概略構成を示す図である。
【図９】第５の実施形態に係る膣内投薬補助器具の概略構成を示す図である。
【発明を実施するための形態】
【００１９】
（第１の実施形態）
第１の実施形態について図１乃至図５を参照して説明する。
【００２０】
図１に示すように、第１の実施形態に係る膣内投薬補助器具１は、膣錠（錠剤）Ｊ１を収容する管状の本体２と、その本体２内の膣錠Ｊ１を本体２外に押し出す押子３と、患者等の使用者の指が掛けられる引掛け部４とを備えている。
【００２１】
本体２は、下端（図１中）に位置する排出口Ｈ１及びその排出口Ｈ１の反対側である上端（図１中）に位置する挿入口Ｈ２を有する管状に形成されており、その内部に膣錠Ｊ１を収容することが可能な構造になっている。排出口Ｈ１は本体２内の膣錠Ｊ１を本体２外に排出するための開口であり、挿入口Ｈ２は押子３を本体２内に挿入するための開口である。本体２の排出口Ｈ１側の先端部は、膣挿入時の抵抗を抑えるために丸みを帯びており、さらに、膣錠Ｊ１が円滑に外に出るように放射状に裂け目を有している。
【００２２】
押子３は、本体２の挿入口Ｈ２から挿入されてその一部が本体２の内部に設けられており、本体２の延伸方向に沿って摺動可能に形成されている。この押子３が本体２に挿入されて設けられた状態で、本体２内には収容空間Ｋ１が形成されており、この収容空間Ｋ１に膣錠Ｊ１が収容されている。押子３は、本体２の挿入口Ｈ２から排出口Ｈ１に向かう方向Ａ１に移動し、収容空間Ｋ１内の膣錠Ｊ１を排出口Ｈ１から押し出す。なお、押子３は円柱状に形成されており、さらに、押子３の排出口Ｈ１側の部分は本体２の挿入口Ｈ２より太くなって挿入口Ｈ２から抜けないように形成されている。
【００２３】
また、押子３は、その押子３が本体２に挿入されて設けられた状態で、本体２の挿入口Ｈ２に当接する複数の突起部３ａ及び３ｂを有している。これらの突起部３ａ及び３ｂは、押子３の外周面に形成されており、押子３が不必要に押されて収容空間Ｋ１内の膣錠Ｊ１を排出口Ｈ１から排出することを防止している。各突起部３ａ及び３ｂは本体２に対して押子３を固定する固定部としても機能するが、押子３は所定の圧力以上の押圧力（所定の摩擦力よりも大きい力）によって押されると、その固定から解放されて移動して収容空間Ｋ１内の膣錠Ｊ１を排出口Ｈ１から排出することになる。
【００２４】
引掛け部４は、本体２の挿入口Ｈ２側の端部に設けられており、膣挿入時に使用者の指（例えば、親指等）が引っ掛けられる部分である。この引掛け部４は、本体２の外周面から湾曲状に伸びており、本体２と一体に形成されている。詳述すると、引掛け部４は、本体２の外周面から上方（図１中）に湾曲して伸び、その途中から下方（図１中）に湾曲して伸びる半円形状になっている。この湾曲度は、親指等の指の外周面に沿うような湾曲度になっている。
【００２５】
このような膣内投薬補助器具１の全体サイズは、例えば、１４０〜１８０ｍｍ程度である。また、引掛け部４の根元付近から排出口Ｈ１までの一部分が膣内に挿入される部分である膣内挿入部となるが、この膣内挿入部は、例えば、８０〜１００ｍｍ程度である。なお、膣内投薬補助器具１は弾性を有しており、この膣内投薬補助器具１の素材、すなわち本体２、押子３及び引掛け部４の素材としては、各種材料を用いることが可能であるが、例えば、製造の容易さやコスト削減等のため、樹脂を用いることが望ましい。また、本体２及び押子３の断面形状は円形状であるが、これに限るものではなく、膣内に挿入しやすい他の形状でも良く、例えば、楕円形状等であっても良い。
【００２６】
次に、前述のような膣内投薬補助器具１の使用方法（使用形態）について図２及び図３を参照して説明する。なお、膣内投薬補助器具１は一回で使い捨ての器具であり、膣錠Ｊ１は製造工場などで収容空間Ｋ１に予め収容されている。
【００２７】
図２に示すように、使用者（患者）は、膣内投薬補助器具１の引掛け部４に手の親指を当てながら、その親指と中指などで本体２を挟み込むように持ち、さらに、人指し指を押子３の先端に当て、本体２の排出口Ｈ１側の端部（先端部）を自分の方に向ける。次いで、反対の手を用いて膣内投薬補助器具１を入れる膣口の周りを開き、本体２の排出口Ｈ１側の端部を膣口にあてる。
【００２８】
その後、図３に示すように、使用者は、膣内投薬補助器具１の引掛け部４（あるいは引掛け部４に当たっている親指部分）が膣口にあたる深さまで膣内投薬補助器具１を膣内に挿入する。次いで、その状態で、膣内投薬補助器具１の押子３を人差し指でゆっくり押し、本体２内の膣錠Ｊ１を排出口Ｈ１から押し出して膣の奥に投入する。このとき、膣錠Ｊ１を押し出して排出するため、押子３を最後まで残さずしっかりと押し切る。最後に、押子３を押せなくなるまで押し出したことを確認し、ゆっくりと膣内投薬補助器具１を膣から抜く。
【００２９】
このような使用方法において、膣内投薬補助器具１の本体２の排出口Ｈ１側の端部（先端部）が膣の奥（医師が指導する子宮口付近）まで挿入され、その状態で押子３が人指し指により膣の奥方向に押されると、押子３によって本体２内の膣錠Ｊ１が排出口Ｈ１に向かって移動し、本体２の先端部を広げつつ排出口Ｈ１から排出される。このとき、本体２の排出口Ｈ１が膣の奥に到達した状態で、本体２内の膣錠Ｊ１が排出口Ｈ１から排出されるため、患者自身は意識せずとも容易に医師による投薬と同じ程度膣の奥に膣錠Ｊ１を入れることが可能となる。さらに、膣錠Ｊ１の排出時には、使用者の親指が引掛け部４に当たっているため、人指し指で押子３を安定して押すことが可能となり、本体２内からの膣錠Ｊ１の排出、すなわち膣錠Ｊ１の投与を簡単に行うことができる。
【００３０】
このように膣内投薬補助器具１の使用方法は簡易であるため、家庭での投薬治療の定着を十分に促すことができる。さらに、膣内投薬補助器具１によって膣錠Ｊ１や内部粘膜へ直接触れずに膣内への薬剤投与ができる。加えて、膣内投薬補助器具１により患部への投薬個所を定めることが可能となるので、確かな治療と効果を期待することができる。また、膣内投薬補助器具１の定着により通院困難患者の疾患完治が見込めるため、疾患を放置することが要因となる二次的疾患や不妊症等を軽減することができ、さらに、疾患を放置して性行為を行うことが要因となる病気の感染や蔓延等を阻止することができる。
【００３１】
なお、膣錠Ｊ１としては、各種の錠剤があるため、その大きさ（サイズ）や形状も様々である。膣錠Ｊ１の大きさとしては、例えば、幅や高さが１０ｍｍから３０ｍｍ程度の範囲内であり、厚さが２ｍｍから５ｍｍ程度の範囲内である。また、膣錠Ｊ１の形状としては、例えば、円形や楕円形などがある。このような膣錠Ｊ１を投薬する必要がある主な疾患としては、例えば、細菌性膣症（非特異性膣炎）や膣炎カンジタ症、トリコモナス膣炎、子宮頚部びらん等がある。
【００３２】
以上説明したように、第１の実施形態によれば、排出口Ｈ１及び挿入口Ｈ２を有する管状の本体２と、その本体２内の膣錠Ｊ１を排出口Ｈ１から押し出す押子３とによって膣内投薬補助器具１を構成し、さらに、本体２の挿入口Ｈ２側の端部に、使用者の指が掛けられる引掛け部４を設けることによって、患者自身が本体２を膣内に挿入して排出口Ｈ１を膣の奥に到達させた状態で、本体２内の膣錠Ｊ１を排出口Ｈ１から排出することが可能となる。これにより、患者自身は意識せずとも容易に医師による投薬と同じ程度膣の奥に膣錠Ｊ１を投与することが可能となるので、患者個人による簡易で正しい膣錠Ｊ１の投与（膣内投薬）を実現することができる。
【００３３】
また、本体２内に予め既定の膣錠Ｊ１を入れておくことによって、使用者はそのまま膣内投薬補助器具１を使用することが可能となり、使用者が本体２内に膣錠Ｊ１を入れてから膣内投薬補助器具１を使用する場合に比べ、膣内投薬補助器具１の利便性を向上させることができる。
【００３４】
ここで、前述の引掛け部４の変形例（第１の変形例及び第２の変形例）について図４及び図５を参照して説明する。
【００３５】
第１の変形例では、図４に示すように、引掛け部４は、本体２の外周面に直交する方向に伸びており、その延伸方向に沿って徐々に細くなるように形成されている。この引掛け部４の上端面（図４中）は水平に形成されており、下端面（図４中）は湾曲するように形成されている。
【００３６】
第２の変形例では、図５に示すように、引掛け部４は、本体２の外周面に直交する方向に伸びており、本体２を囲む円環状に形成されている。この引掛け部４の上端面及び下端面（図５中）は水平に形成されている。
【００３７】
これらの第１の変形例又は第２の変形例においても、前述と同様に、患者自身は意識せずとも容易に医師による投薬と同じ程度膣の奥に膣錠Ｊ１を入れることが可能となるため、患者個人による簡易で正しい膣錠Ｊ１の投与を実現することができる。
【００３８】
（第２の実施形態）
第２の実施形態について図６を参照して説明する。なお、第２の実施形態では、第１の実施形態との相違点（投入口）について説明し、その他の説明は省略する。なお、同一部分は同一符号とする。
【００３９】
図６に示すように、第２の実施形態に係る膣内投薬補助器具１の本体２は、収容空間Ｋ１に膣錠Ｊ１を投入するための投入口Ｈ３を有している。投入口Ｈ３は、例えば、スリット形状の縦穴に形成されており、形状やサイズが多様な各種の膣錠Ｊ１が投入される開口である。この投入口Ｈ３は、膣錠Ｊ１の厚さや高さよりも例えば１ｍｍ程度小さい幅や高さで形成されており、収容空間Ｋ１に一度投入された膣錠Ｊ１が投入口Ｈ３から出てこない構造になっている。
【００４０】
なお、本体２は、膣錠Ｊ１の投入時、投入口Ｈ３に膣錠Ｊ１を押し込むことでその投入口Ｈ３が若干広がるような弾性を有しており、投入口Ｈ３からの膣錠Ｊ１の投入が可能になっている。すなわち、本体２は柔らかい樹脂で形成されており、投入口Ｈ３は膣錠Ｊ１の投入時に広がるため、投入口Ｈ３の高さや幅よりも大きい膣錠Ｊ１を投入口Ｈ３に押し込んで収容空間Ｋ１に投入することが可能になっている。
【００４１】
この膣内投薬補助器具１の使用方法（使用形態）は第１の実施形態と同様であるが、使用者は、膣挿入前の準備として、疾患に応じて処方された膣錠Ｊ１を投入口Ｈ３から本体２内の収容空間Ｋ１に投入する。その後、使用者は、第１の実施形態と同様に、膣内投薬補助器具１の本体２の排出口Ｈ１側の端部（先端部）を膣の奥まで挿入し、その状態で押子３を人指し指により膣の奥方向に押して本体２内の膣錠Ｊ１を膣の奥に入れる。
【００４２】
なお、膣内投薬補助器具１は一回で使い捨ての器具であるが、これに限るものではなく、例えば、衛生面などに問題が無ければ、また、適切な洗浄が可能であれば、一度使用した膣内投薬補助器具１を再利用しても良い。この場合には、押子３を元の位置（初期位置）に戻して収容空間Ｋ１を確保し、その収容空間Ｋ１内に投入口Ｈ３から膣錠Ｊ１を再度投入してから、膣内投薬補助器具１を利用することになる。
【００４３】
以上説明したように、第２の実施形態によれば、前述の第１の実施形態と同様の効果を得ることができる。さらに、本体２内の収容空間Ｋ１につながる投入口Ｈ３を本体２の外周面に設けることによって、使用者が疾患に応じた膣錠Ｊ１を投入口Ｈ３から本体２内の収容空間Ｋ１に投入することが可能となる。これにより、膣内投薬補助器具１の製造工場などで本体２内に既定の膣錠Ｊ１を入れておく必要がないため、製造工程において膣錠Ｊ１の搬送工程や収容工程を省略することが可能であり、膣内投薬補助器具１の製造効率を向上させることができる。
【００４４】
（第３の実施形態）
第３の実施形態について図７を参照して説明する。なお、第３の実施形態では、第１の実施形態との相違点（吸収体）について説明し、その他の説明は省略する。なお、同一部分は同一符号とする。
【００４５】
図７に示すように、第３の実施形態に係る膣内投薬補助器具１の本体２は、収容空間Ｋ１に膣錠Ｊ１と共に、液体を吸収する吸収体Ｊ２を収容している。この吸収体Ｊ２は、例えば円柱状に形成されており、収容空間Ｋ１内の膣錠Ｊ１よりも挿入口Ｈ２側に位置付けられて収容空間Ｋ１内に設けられている。したがって、押子３は、挿入口Ｈ２から排出口Ｈ１に向かう方向に移動して本体２内の膣錠Ｊ１及び吸収体Ｊ２の両方を排出口Ｈ１から押し出す。なお、吸収体Ｊ２はタンポンと呼ばれるものであり、この吸収体Ｊ２には、膣内に入れられた吸収体Ｊ２を取り出すための取り出し紐（図示せず）が接続されている。
【００４６】
この膣内投薬補助器具１の使用方法（使用形態）は第１の実施形態と同様であるが、使用者は、投薬の際、本体２の排出口Ｈ１側の端部（先端部）を膣の奥まで挿入し、その状態で人指し指により押子３を膣の奥方向に押し、まず本体２内の膣錠Ｊ１を膣の奥に入れ、その後、さらに押子３を押し込み、膣錠Ｊ１より手前側、すなわち膣口側に吸収体Ｊ２を入れる。
【００４７】
以上説明したように、第３の実施形態によれば、前述の第１の実施形態と同様の効果を得ることができる。さらに、収容空間Ｋ１内に膣錠Ｊ１よりも挿入口Ｈ２側に吸収体Ｊ２を設けることによって、膣錠Ｊ１及び吸収体Ｊ２が排出口Ｈ１から排出されると、膣内にまず膣錠Ｊ１が入れられ、その後、その膣錠Ｊ１よりも膣口側に吸収体Ｊ２が入れられる。これにより、吸収体Ｊ２が膣錠Ｊ１よりも膣口側に存在することになり、膣錠Ｊ１が膣の奥から膣口に向かって移動することが吸収体Ｊ２によって抑止されるので、膣錠Ｊ１が膣内から排出されることを防止することができる。
【００４８】
（第４の実施形態）
第４の実施形態について図８を参照して説明する。なお、第４の実施形態では、第１の実施形態との相違点（引掛け部）について説明し、その他の説明は省略する。なお、同一部分は同一符号とする。
【００４９】
図８に示すように、第４の実施形態に係る膣内投薬補助器具１の引掛け部４は、指が掛けられる第１の環状体４ａと、その指と異なる指が掛けられる第２の環状体４ｂとにより構成されている。第１の環状体４ａ及び第２の環状体４ｂは、例えば楕円形状に形成されており、本体２を挟んで対向するように本体２の外周面に設けられている。このような引掛け部４は、膣内投薬補助器具１の持ち手としても機能する。また、突起部３ａは一つであり、押子３の外周面に沿って延びる円環状に形成されている。
【００５０】
この膣内投薬補助器具１の使用方法（使用形態）は第１の実施形態と同様であるが、使用者は、膣内投薬補助器具１を持つ際、引掛け部４の第１の環状体４ａに中指を入れ、さらに、第２の環状体４ｂに親指を入れて膣内投薬補助器具１の本体２を持ち、その状態で人指し指を押子３の先端に当てる。なお、膣錠Ｊ１の排出時には、使用者の中指が第１の環状体４ａの内面に当たり、親指が第２の環状体４ｂの内面に当たっているため、人指し指で押子３を安定して押すことが可能となり、本体２内からの膣錠Ｊ１の排出、すなわち膣錠Ｊ１の投与を簡単に行うことができる。
【００５１】
以上説明したように、第４の実施形態によれば、前述の第１の実施形態と同様の効果を得ることができる。さらに、第１の環状体４ａ及び第２の環状体４ｂにより引掛け部４を構成することによって、それらの第１の環状体４ａ及び第２の環状体４ｂに親指及び中指を入れ、人指し指により押子３を安定して押すことが可能となるので、膣錠Ｊ１の投与をより簡単に行うことができる。
【００５２】
（第５の実施形態）
第５の実施形態について図９を参照して説明する。なお、第５の実施形態では、第４の実施形態との相違点（引掛け部の着脱構造）について説明し、その他の説明は省略する。なお、同一部分は同一符号とする。
【００５３】
図９に示すように、第５の実施形態に係る膣内投薬補助器具１の引掛け部４は、第４の実施形態に係る第１の環状体４ａ及び第２の環状体４ｂと、引掛け部４を着脱可能にする着脱体４ｃとにより構成されている。着脱体４ｃは本体２の外周面に沿うように円環状に形成されており、その一部は引掛け部４の取り付け及び取り外しのため、結合及び分離が可能な構造になっている。この着脱体４ｃは、一部を分離させて（開いて）本体２を挟み込み、次いで、その一部を嵌合により結合することで、本体２の外周面に装着される。なお、第１の環状体４ａ及び第２の環状体４ｂは、互いに対向させて着脱体４ｃの外周面に設けられている。
【００５４】
本体２は、引掛け部４の取り付け位置を決める複数の位置決め部２ａ、２ｂ、２ｃ及び２ｄを有している。これらの位置決め部２ａ、２ｂ、２ｃ及び２ｄは、例えば突起状に形成されており、本体２の外周面に設けられている。詳述すると、各位置決め部２ａ及び２ｂは第１の円周上に設けられており、各位置決め部２ｃ及び２ｄは第１の円周から着脱体４ｃの高さである所定距離だけ離間された第２の円周上に設けられている。これらの位置決め部２ａ、２ｂ、２ｃ及び２ｄは、本体２に取り付けられた着脱体４ｃの上下方向（図９中）の移動を制限し、着脱体４ｃを固定する固定部としても機能する。これにより、膣内への本体２の挿入時や膣錠Ｊ１の排出時等に引掛け部４が外力によって移動することを確実に防止することが可能であり、挿入及び排出を安定して行うことができる。
【００５５】
以上説明したように、第５の実施形態によれば、前述の第１及び第４の実施形態と同様の効果を得ることができる。さらに、引掛け部４を着脱可能にすることによって、引掛け部４を再利用することが可能となる。これにより、引掛け部４を除いた膣内投薬補助器具１を製造して販売することができ、その結果、引掛け部４を有する膣内投薬補助器具１に比べ、膣内投薬補助器具１のコストを抑えることができる。
【００５６】
（他の実施形態）
前述の第４及び第５の実施形態においては、工場出荷時など、本体２内に予め膣錠Ｊ１を入れているが、これに限るものではなく、例えば、前述の第２の実施形態と同じように本体２の外周面に投入口Ｈ３を形成し、使用者自身がその投入口Ｈ３から本体２内に膣錠Ｊ１を投入するようにしても良い。
【００５７】
また、前述の第１乃至第５の実施形態においては、投薬として膣錠Ｊ１を使用しているが、これに限るものではなく、例えば、薬液を含む吸収体を用いるようにしても良い。この場合には、図７に示す錠剤Ｊ１を内部空間Ｋ１内に設けず、吸収体Ｊ２として薬液を含んでいる吸収体だけを設ける。ただし、この吸収体Ｊ２は、薬液を含んでいる状態でも、膣内で血液などの液体を吸収することが可能になっている。
【００５８】
また、前述の第１乃至第５の実施形態においては、押子３の外周面に各突起部３ａや３ｂ、あるいは、環状の突起部３ａを設けているが、これに限るものではなく、例えば、その突起部３ａや３ｂよりも押子３の挿入方向の上流側に他の突起部を設け、押子３が本体２内に必要以上に入り込まないようにしても良い。
【００５９】
なお、本発明は、前述の実施形態に限るものではなく、その要旨を逸脱しない範囲において種々変更可能である。例えば、前述の実施形態に示される全構成要素から幾つかの構成要素を削除しても良い。さらに、異なる実施形態に亘る構成要素を適宜組み合わせても良い。
【符号の説明】
【００６０】
１    膣内投薬補助器具
２    本体
２ａ  位置決め部
２ｂ  位置決め部
２ｃ  位置決め部
２ｄ  位置決め部
３    押子
３ａ  突起部
３ｂ  突起部
４    引掛け部
４ａ  第１の環状体
４ｂ  第２の環状体
４ｃ  着脱体
Ａ１  方向
Ｈ１  排出口
Ｈ２  挿入口
Ｈ３  投入口
Ｊ１  膣錠
Ｊ２  吸収体
Ｋ１  収容空間
【図１】
2016002192.tif 000003
【図２】
2016002192.tif 000004
【図３】
2016002192.tif 000005
【図４】
2016002192.tif 000006
【図５】
2016002192.tif 000007
【図６】
2016002192.tif 000008
【図７】
2016002192.tif 000009
【図８】
2016002192.tif 000010
【図９】
2016002192.tif 000011